(57)【要約】【課題】簡易な構造で、かつ、安全に作業を進めることができる揚重装置を提供する。【解決手段】アンカーボルト１２に対し、その側方から抜き差し自在な差込片３ｂを有すると共に、その差込片を前記アンカーボルトにその側方から抜き差し自在なナット２で締付けることにより固定されるベース３と、そのベースから立設すると共に、上端付近に前記ポール１０ａを吊るための吊り具７が設けられるパイプ５とを備えており、前記ベースの固定が、前記ポールが仮固定された後に、前記差込片およびナットをアンカーボルトの側方から引き抜くことにより解除され、あるいは、前記ポールの取外しの際に、前記差込片およびナットを、外壁とそれに仮固定されているポールの間のアンカーボルトにその側方から差し込んで行われる揚重装置１。【選択図】図１
2015175149.tif 000002
【特許請求の範囲】
【請求項１】
外壁に突設したアンカーボルトに対し、ポールに固設されたフランジの孔にナットで締結して前記外壁に前記ポールを固定するときに用いる揚重装置であって、
前記アンカーボルトに対しその側方から抜き差し自在に設けられる差込片を有すると共に、前記アンカーボルトの側方から抜き差しするための切欠きを出現させたり、無くしたりできるように設けた仮設用ナットで該差込片を前記アンカーボルトに締めつけることにより固定されるベースと、
該ベースに立設すると共に、上端付近に前記ポールを吊るための吊り具が設けられるパイプとを備えており、
前記ポールを外壁に固定する際に、前記アンカーボルトに前記ベースを前記仮設用ナットで締結した後、前記ポールを前記パイプの前記吊り具で吊りながら前記フランジの孔に前記アンカーボルトを挿通して、前記ポールを本設ナットで仮固定した後に、前記差込片及び前記仮設用ナットをアンカーボルトの側方から引き抜いて、前記ベースを取外すことが可能な構成を有する
ことを特徴とする揚重装置。
【請求項２】
外壁に突設したアンカーボルトに対し、ポールに固設されたフランジの孔にナットで締結してある前記ポールを前記外壁から取外すときに用いる揚重装置であって、
前記アンカーボルトに対しその側方から抜き差し自在に設けられる差込片を有すると共に、前記アンカーボルトの側方から抜き差しするための切欠きを出現させたり、無くしたりできるように設けた仮設用ナットで該差込片を前記アンカーボルトに締めつけることにより固定されるベースと、
該ベースに立設すると共に、上端付近に前記ポールを吊るための吊り具が設けられるパイプとを備えており、
前記ポールを前記アンカーボルトから取外す際に、前記ポールの前記フランジの孔と前記アンカーボルトとを固定している本設ナットを緩め仮固定状態とした後、前記外壁と前記フランジ孔との間に前記差込片及び前記仮設用ナットとを側方から差し込んで、前記ベースを前記仮設用ナットで締結した後、前記ポールを前記パイプの前記吊り具で吊りながら前記本設ナットを取外して前記ポールの前記フランジの孔を前記アンカーボルトから取外した後に、前記差込片及び前記仮設用ナットをアンカーボルトの側方から引き抜いて、前記ベースを取外すことが可能な構成を有する
ことを特徴とする揚重装置。
【請求項３】
前記アンカーボルトは、前記ポールから張り出されて固設されるフランジに平行に少なくとも２本並ぶように配置され、外壁から水平に突設されていて、
前記差込片は、２本の前記アンカーボルト両方を銜え込むことが可能な長さの横長で一端が開放された差込スリットが形成されていて、
前記差込片と前記仮設用ナットとの間に、差込片の上に重ねられ、各々のアンカーボルトが個別に挿通されると共に、前記差込スリットにほぼ直交する方向に延びる下端が開放の２本の平行な押さえスリットが形成された押さえ部材を
備えている請求項１または２に記載の揚重装置。
【請求項４】
前記吊り具が前記パイプの上端付近に設けられたアーム部材に取り付けられており、前記パイプが前記ベース及び前記アーム部材に対して着脱自在な構造を有し、
前記ポールの長さや前記アンカーボルトの突設ピッチに応じて、前記パイプの長さを変更できることを特徴とする請求項１乃至３の何れか１項に記載の揚重装置。
【請求項５】
外壁に突設したアンカーボルトに対し、ポールに固設されたフランジの孔にナットで締結して前記外壁に前記ポールを固定する際に揚重装置を用いて取り付けるポールの取付方
法であって、
前記アンカーボルトに対しその側方から抜き差し自在に設けられる差込片を有すると共に、該前記アンカーボルトの側方から抜き差しするための切欠きを出現させたり、無くしたりできるように設けた仮設用ナットで該差込片を前記アンカーボルトに締めつけることにより固定されるベースと、
該ベースに立設すると共に、上端付近に前記ポールを吊るための吊り具が設けられるパイプとを備えた揚重装置を用いて、
前記ポールを外壁に固定する際に、
まず、前記アンカーボルトに前記ベースを前記仮設用ナットで締結した後、前記ポールを前記パイプの前記吊り具で吊りながら前記フランジの孔に前記アンカーボルトを挿通して、前記ポールを本設ナットで仮固定し、
次に、前記吊り具から前記ポールをはずした後、前記差込片及び前記仮設用ナットをアンカーボルトの側方から引き抜いて、前記ベースつまり揚重装置を取外し、
最後に、前記フランジを前記アンカーボルトに沿って前記本設ナットで外壁に向けて締結することを特徴とするポールの取付方法。
【請求項６】
外壁に突設したアンカーボルトに対し、ポールに固設されたフランジの孔にナットで締結してある前記ポールを前記外壁から取外す際に揚重装置を用いて取外すポールの取外方法であって、
前記アンカーボルトに対しその側方から抜き差し自在に設けられる差込片を有すると共に、該前記アンカーボルトの側方から抜き差しするための切欠きを出現させたり、閉じたりできるように設けた仮設用ナットで該差込片を前記アンカーボルトに締めつけることにより固定されるベースと、
該ベースに立設すると共に、上端付近に前記ポールを吊るための吊り具が設けられるパイプとを備えた揚重装置を用いて、
前記ポールを前記アンカーボルトから取外す際に、
まず、前記ポールの前記フランジの孔と前記アンカーボルトとを固定している本設ナットを緩め仮固定状態とし、
次に、前記外壁と前記フランジ孔との間に前記差込片及び前記仮設用ナットとを側方から差し込んで、前記ベースを前記仮設用ナットで締結した後、前記ポールを前記パイプの前記吊り具で吊りながら前記本設ナットを取外して前記ポールの前記フランジの孔を前記アンカーボルトから取外し、
最後に、前記差込片及び前記仮設用ナットをアンカーボルトの側方から引き抜いて、前記ベースを取外すことを特徴とするポールの取外方法。
【発明の詳細な説明】
【技術分野】
【０００１】
本発明は、外壁に突設したアンカーボルトを利用してポールを揚重する揚重装置並びにそれを用いるポールの取付および取外方法に関する。さらに詳しくは、外灯ポールや避雷針など建物の設備を外壁に固定するポールのための揚重装置並びにそれを用いる取付および取外方法に関する。
【背景技術】
【０００２】
建築設備には、建屋の外壁から支持をとって上方へ突き出す必要のある装置がいくつか存在する。例えば、建屋の外壁そばに人の動線がある場合、夜間照明する外灯を上方に設置するため、外灯ポールを建屋外壁で支持したり、屋上の塔屋の外壁から避雷針を上方へ突設する避雷針ポールを塔屋外壁で支持したり、各種電波を受信するアンテナを取り付けるアンテナポールを塔屋外壁で支持したりする場合が多い。
以降からは、外灯ポールを例に説明していくが、上記ほかの装置のポールであってももちろん同じである。
通常新設現場などでは、外壁に突設したアンカーボルトに外灯ポールを取り付けるには、外壁に沿って立ち上げ組まれた単管足場を利用して、作業者がアンカーボルトそばに寄り付き、ポールを建築側が用意するクレーンなどで持ち上げながら、アンカーボルトに外灯ポールフランジの孔を挿通させ、その後ナットで締結して設置する。
しかし、建築側である外壁仕上げの工事範囲と、電気設備側である外灯ポールの工事範囲とは別の業者が担当するので、外壁が仕上がった状態で取り付ける外灯ポールなどの場合、建築側の足場がすでに撤去されている工程での取付作業になる場合も多い。その際には、外灯ポールの設置のために多大な仮設費用を用いて単管足場を設けることなり工事費用の増大や工程の延長を引き起こす。
このような場合、中型トラックの運転席と荷台との間に小型クレーンを備えた、通称ユニック車で外灯ポールを運搬してきて、取り付けるべき外壁のそばにユニック車を寄り付けて、ユニッククレーンでポールを吊り上げ、作業者は立ち馬を利用した簡易足場を使って外壁面に突設したアンカーボルトに寄り付いて取り付けることも行われる。
また、仕上がった外壁を補修することを覚悟して、外壁にわざわざドリル開口をあけて、仮設揚重装置を固定するためのホールインアンカーを設置し、そこに仮設アンカーボルトを設置し、揚重装置を設置し、外灯ポールを吊って設置した後、外壁の補修を建築側に依頼して有償で行うこともされている
【０００３】
アンカーボルトで楊重装置を仮固定するものではないが、ポールのような柱状の部材を立設する方法として、以下の特許文献１、２、３の技術が知られている。
特許文献１には、仮設電柱の立設・回収装置が開示されている。その装置は、下部柱材と、それの上端に嵌合される上部柱材とを備えている。前記下部柱材の下方の部位は土中に埋設され、上方の部位は地表に垂立されている。その下部柱材の上方には、上部柱材を取り付ける前に、揚重装置の一部である支持パイプがクランプ２つで巻きつけられ下部柱材の側方に仮固定されている。その支持パイプの上端からは、アームが水平に突設している。そのアームには滑車が設けられ、その滑車にフックつきのチェーンが掛けられ、いわゆるチェーンブロックが設けられている。
前記仮設電柱を立設するには、まず、上部柱材を、前記フックに係止する。次いで、その上部柱材を下部柱材との嵌合位置まで垂直に近い姿勢で吊り上げる。そして、上部柱材の下端を下部柱材の上端付近に嵌着する。一方、回収するには、上述したのと逆の手順で、前記嵌着された上部柱材を下部柱材から取り外して行う。
【０００４】
特許文献２には、折損電柱仮支持工法が開示されている。その工法は、折れた電柱の地
中残存部に、仮支柱の下部に設けられた埋め込み部を挿入する。その埋め込み部からアウトリガー（爪状の部材）を外向きに突出させ、折損電柱の内壁に圧接固定する。そして、前記仮支柱の上部に折れた電柱の地上残存部を固定する、というものである。
【０００５】
特許文献３には、避雷針取外方法が開示されている。その取外方法は、まず、第１台付ワイヤの一端を鞘管に取り付け、その他端をクレーンのフックに取り付ける。前記避雷針は上から順に第１支持管、第２支持管、第３支持管を軸方向に並べて接合されている。前記鞘管をクレーンで吊り上げ、避雷針の第１支持管および第２支持管の接続部を含むように鞘管を被せる。避雷針の第３支持管に第２台付ワイヤの一端を固定し、その他端を前記クレーンのフックに固定する。この状態で、クレーンにより避雷針及び鞘管を吊上げることにより、前記接続部の抜け落ちを防止する。そして、所定のスペースまで避雷針を運び、荷降ろしする、というものである。
【先行技術文献】
【特許文献】
【０００６】
【特許文献１】特開２００２−６１４２０号公報
【特許文献２】特開平６−３２３０４０号公報
【特許文献３】特開２０１２−２０９９８９号公報
【発明の概要】
【発明が解決しようとする課題】
【０００７】
建屋の外壁の高所に、外灯ポールを取り付けるのをチェーンブロックなど吊り具を用いずに人力で行う場合には、多くの作業員による運搬及び位置あわせが必要である。さらに、外灯ポールは４人以上で作業すべき１００ｋｇ程度以上の重量であるにもかかわらず重量バランスが悪く、重心に近いところを多人数で持てない形状で手元が滑りやすい。そして、建築外壁が仕上がった状態での簡易足場であるたち馬を用いて多人数で重量物である外灯ポールを昇降させる作業は、危険作業となる。一方で、安全性を高めるため単管足場と吊り元及びクレーンを準備すると大掛かりな足場構築が必要となり、費用や手間がかかる。
また、前記ユニック車のユニッククレーンを利用すると便利ではあるが、実際に舗装された車道がそばにないと、中型トラックであるユニック車が寄り付けない。車が寄り付けるスペースが近傍にある外壁に作業が限られる。さらに、建屋の外壁に揚重装置を固定するための仮設のアンカーボルトなどの固定部を設けると、工事後仮設のアンカーボルトの撤去及び外壁補修工事が必要となり手間や費用が掛かる。
【０００８】
また、特許文献１のように仮設電柱を下部柱材と上部柱材とに分割し、下部柱材の外径部分を利用して揚重装置の支持パイプを保持するのでは、下部柱材の外径に従って多数のクランプを用意しなくてはいけなくなり、また、下部柱材の表面摩擦によりクランプを固定するので、クランプが滑落して吊り上げ時に事故を起こしかねない。
さらに、特許文献２では、仮支柱を折損電柱の地中残存部に取り付けるための複雑な機構が必要である。そして、特許文献３では、部材を吊るのにクレーンを用いている。
【０００９】
そこで、本発明は簡易な構造で、かつ、安全に作業を進めることができる揚重装置を提供することを課題とする。
【課題を解決するための手段】
【００１０】
（１）本発明の揚重装置は、外壁に突設したアンカーボルトに対し、ポールに固設されたフランジの孔にナットで締結して前記外壁に前記ポールを固定するときに用いる揚重装置であって、前記アンカーボルトに対しその側方から抜き差し自在に設けられる差込片を有すると共に、該前記アンカーボルトの側方から抜き差しするための切欠きを出現させたり
、無くしたりできるように設けた仮設用ナットで該差込片を前記アンカーボルトに締めつけることにより固定されるベースと、該ベースに立設すると共に、上端付近に前記ポールを吊るための吊り具が設けられるパイプとを備えており、前記ポールを外壁に固定する際に、前記アンカーボルトに前記ベースを前記仮設用ナットで締結した後、前記ポールを前記パイプの前記吊り具で吊りながら前記フランジの孔に前記アンカーボルトを挿通して、前記ポールを本設ナットで仮固定した後に、前記差込片及び前記仮設用ナットをアンカーボルトの側方から引き抜いて、前記ベースを取外すことが可能な構成を有する、ことを特徴とする。
【００１１】
（２）本発明の揚重装置は、外壁に突設したアンカーボルトに対し、ポールに固設されたフランジの孔にナットで締結してある前記ポールを前記外壁から取外すときに用いる揚重装置であって、前記アンカーボルトに対しその側方から抜き差し自在に設けられる差込片を有すると共に、該前記アンカーボルトの側方から抜き差しするための切欠きを出現させたり、無くしたりできるように設けた仮設用ナットで該差込片を前記アンカーボルトに締めつけることにより固定されるベースと、該ベースに立設すると共に、上端付近に前記ポールを吊るための吊り具が設けられるパイプとを備えており、前記ポールを前記アンカーボルトから取外す際に、前記ポールの前記フランジの孔と前記アンカーボルトとを固定している本設ナットを緩め仮固定状態とした後、前記外壁と前記フランジ孔との間に前記差込片及び前記仮設用ナットとを側方から差し込んで、前記ベースを前記仮設用ナットで締結した後、前記ポールを前記パイプの前記吊り具で吊りながら前記本設ナットを取外して前記ポールの前記フランジの孔を前記アンカーボルトから取外した後に、前記差込片及び前記仮設用ナットをアンカーボルトの側方から引き抜いて、前記ベースを取外すことが可能な構成を有することを特徴とする。
【００１２】
（３）このような揚重装置において、前記アンカーボルトは、前記ポールから張り出されて固設されるフランジに平行に少なくとも２本並ぶように配置され、外壁から水平に突設されていて、前記差込片は、２本の前記アンカーボルト両方を銜え込むことが可能な長さの横長で一端が開放された差込スリットが形成されていて、前記差込片と前記仮設用ナットとの間に、差込片の上に重ねられ、各々のアンカーボルトが個別に挿通されると共に、前記差込スリットにほぼ直交する方向に伸びる下端が開放の２本の平行な押さえスリットが形成された押さえ部材を備えているのが好ましい。
（４）また、前記吊り具が前記パイプの上端付近に設けられたアーム部材に取り付けられており、前記パイプが前記ベース及び前記アーム部材に対して着脱自在な構造を有し、前記ポールの長さや前記アンカーボルトの突設ピッチに応じて、前記パイプの長さを変更できるのが好ましい。
【００１３】
（５）本発明のポールの取付方法は、外壁に突設したアンカーボルトに対し、ポールに固設されたフランジの孔にナットで締結して前記外壁に前記ポールを固定する際に揚重装置を用いて取り付けるポールの取付方法であって、前記アンカーボルトに対しその側方から抜き差し自在に設けられる差込片を有すると共に、該前記アンカーボルトの側方から抜き差しするための切欠きを出現させたり、無くしたりできるように設けた仮設用ナットで該差込片を前記アンカーボルトに締めつけることにより固定されるベースと、該ベースに立設すると共に、上端付近に前記ポールを吊るための吊り具が設けられるパイプとを備えた揚重装置を用いて、前記ポールを外壁に固定する際に、まず、前記アンカーボルトに前記ベースを前記仮設用ナットで締結した後、前記ポールを前記パイプの前記吊り具で吊りながら前記フランジの孔に前記アンカーボルトを挿通して、前記ポールを本設ナットで仮固定し、次に、前記吊り具から前記ポールをはずした後、前記差込片及び前記仮設用ナットをアンカーボルトの側方から引き抜いて、前記ベースつまり揚重装置を取外し、最後に、前記フランジを前記アンカーボルトに沿って前記本設ナットで外壁に向けて締結する、ことを特徴としている。
【００１４】
（６）本発明のポールの取外方法は、外壁に突設したアンカーボルトに対し、ポールに固設されたフランジの孔にナットで締結してある前記ポールを前記外壁から取外す際に揚重装置を用いて取外すポールの取外方法であって、前記アンカーボルトに対しその側方から抜き差し自在に設けられる差込片を有すると共に、該前記アンカーボルトの側方から抜き差しするための切欠きを出現させたり、無くしたりできるように設けた仮設用ナットで該差込片を前記アンカーボルトに締めつけることにより固定されるベースと、該ベースに立設すると共に、上端付近に前記ポールを吊るための吊り具が設けられるパイプとを備えた揚重装置を用いて、前記ポールを前記アンカーボルトから取外す際に、まず、前記ポールの前記フランジの孔と前記アンカーボルトとを固定している本設ナットを緩め仮固定状態とし、次に、前記外壁と前記フランジ孔との間に前記差込片及び前記仮設用ナットとを側方から差し込んで、前記ベースを前記仮設用ナットで締結した後、前記ポールを前記パイプの前記吊り具で吊りながら前記本設ナットを取外して前記ポールの前記フランジの孔を前記アンカーボルトから取外し、最後に、前記差込片及び前記仮設用ナットをアンカーボルトの側方から引き抜いて、前記ベースを取外す、ことを特徴としている。
【発明の効果】
【００１５】
（１）（２）本発明の揚重装置では、ポールを取り付けるための、すなわちポールをそのフランジの孔に挿通して本設ナットで締結するための、外壁から突設するアンカーボルトにベースを予め仮固定し、そのベースに本設のポールのフランジを重ねても、側方にベースや仮設用ナットを引き抜いて後から取り除けるので、前記アンカーボルトが仮設揚重装置の仮固定にも、ポールの本設にも利用できる。そのため、別途、仮設揚重装置の固定用のボルト等を外壁に設ける必要がなく、施工後の補修などが不要である。そして、本来、ポールが設置されるのとほぼ同じ位置に、揚重装置の支持パイプを立設することができるから、ポールをその重心に沿って吊り上げることが可能で、さらに揚重装置を仮固定するための別個の空間を必要としないので、狭い場所で施工ができる。
【００１６】
さらに、外壁から突設されたアンカーボルトに対しその側方から抜き差し自在に設けられる差込片を有すると共に、前記アンカーボルトの側方から抜き差しするための切欠きを出現させたり、無くしたりできるように設けた仮設用ナットで該差込片を前記アンカーボルトに締めつけることにより固定されるベースと、ベースに立設すると共に、上端付近にポールを吊るための吊り具が設けられるパイプとを備えた揚重装置を用いて、ポールを外壁に固定する際に、まず、アンカーボルトにベースを仮設用ナットで締結した後、ポールをパイプの吊り具で吊りながらフランジの孔にアンカーボルトを挿通して、ポールを本設ナットで仮固定し、次に、吊り具からポールをはずした後、差込片及び仮設用ナットをアンカーボルトの側方から引き抜いて、ベースつまり揚重装置を取外し、最後に、フランジをアンカーボルトに沿って本設ナットで外壁に向けて本締結することができる。
一方、ポールを取り外す際には、ポールを固定している本設ナットを緩めて、ポールのフランジの孔とアンカーボルトとを固定している本設ナットを緩め仮固定状態とした後、外壁とフランジの孔との間に差込片及び仮設用ナットとを側方から差し込んで、ベースを仮設用ナットで締結した後、ポールをパイプの吊り具で吊りながら本設ナットを取外してポールのフランジの孔をアンカーボルトから取外し、ポールを吊りながら外壁から取り外す。その後、差込片及び仮設用ナットをアンカーボルトの側方から引き抜いて、揚重装置のベースを取外す。このため、ポールの取付、取外しが容易であり、少人数、例えば２人の作業員で行うことができる。このため、低コストである。
【００１７】
さらに、本設のアンカーボルトのあるポール設置位置に揚重装置を設置できるので、ポール設置位置よりも高所に足場を組む必要もなく、また、ポールをその重心に留意しながら略垂直に吊りながら仮設置まで持っていけるので、揚重装置が水平方向に離れている場合の作業員による介錯も不要となり、ポールを１点吊りで確実に吊り上げることができる
ので、安全である。そして、揚重装置は本設用のアンカーボルトから取り外してそのまま他の現場で用いることができ、使い勝手が良い。そして、部品点数が少ないので構造が簡易で且つ強度がある。
【００１８】
（３）このような揚重装置において、アンカーボルトは、ポールから張り出されて固設されるフランジに平行に少なくとも２本並ぶように配置され、外壁から水平に突設されていて、差込片は、２本のアンカーボルト両方を銜え込むことが可能な長さの横長で一端が開放された差込スリットが形成されていて、差込片と仮設用ナットとの間に、差込片の上に重ねられ、各々のアンカーボルトが個別に挿通されると共に、差込スリットにほぼ直交する方向に伸びる下端が開放の２本の平行な押さえスリットが形成された押さえ部材を備えている場合は、横長のスリットが形成されたベースの差込片の上から、重ねるように２本のスリットを有する押さえ部材を２つのアンカーボルトに渡すように固定できる。このため、差込片が抜け落ちるのを防止することができ、安全である。さらに、仮設用ナットを緩めると、押さえ部材および差込片をアンカーボルトから容易に抜き取ることができる。このため、作業が容易である。
さらに、アンカーボルトはほとんどの場合、ポールの軸方向に直行してポールに固定されるフランジに対し平行に、つまり水平方向に少なくとも２本が並んで配置されているから、アンカーボルトの水平方向の取り付けピッチ、すなわちポール径に応じた水平取り付けピッチに影響を受けずに、ある程度の長さを有する差込片の横長のスリットを、２本のアンカーボルトを両方とも銜え込んだ形に差し込むことができる。このため、ベースは他のポールの設置、例えば径の異なるポールの取り付けにも用いることができ、使い勝手が良い。
【００１９】
（４）また、吊り具がパイプの上端付近に設けられたアーム部材に取り付けられており、パイプがベース及びアーム部材に対して着脱自在な構造を有し、ポールの長さやアンカーボルトの鉛直方向の突設ピッチに応じて、パイプの長さを変更できるようになっている場合は、長さの異なるパイプに交換することによって、吊りの高さを変更でき、さまざまなポールに対応できる吊り具となる。例えば、２本の長さが同じでも、鉛直方向のアンカーボルト突設ピッチが異なるためフランジ位置を異にする２本のポールをそれぞれ最適な吊り位置で吊ることができ、重心や吊り姿勢をきちんと制御できる。そして、パイプとして安価で強度のある単管を用いることができる。さらに、ベース３、ベースプレート４、パイプ５およびアーム６は、分割することにより容易に運搬できる。
【００２０】
（５）（６）本発明のポールの取付及び取外方法は、アンカーボルトに対しその側方から抜き差し自在に設けられる差込片を有すると共に、前記アンカーボルトの側方から抜き差しするための切欠きを出現させたり、無くしたりできるように設けた仮設用ナットで該差込片を前記アンカーボルトに締めつけることにより固定されるベースが固定される。そのベースに立設すると共に上端付近にポールを吊るための吊り具を用いてポールを外壁に固定する際に、アンカーボルトにベースを仮設用ナットで締結した後、ポールをパイプの吊り具で吊りながらフランジの孔にアンカーボルトを挿通して、ポールを本設ナットで仮固定し、次に、吊り具からポールをはずした後、差込片及び仮設用ナットをアンカーボルトの側方から引き抜いて、ベースつまり揚重装置を取外し、フランジをアンカーボルトに沿って本設ナットで外壁に向けて本締結する。
一方、ポールを取り外す際には、アンカーボルトに対しその側方から抜き差し自在に設けられる差込片を有すると共に、前記アンカーボルトの側方から抜き差しするための切欠きを出現させたり、無くしたりできるように設けた仮設用ナットで該差込片を前記アンカーボルトに締めつけることにより固定されるベースと、ベースに立設し上端付近にポールを吊るための吊り具が設けられるパイプとを備えた揚重装置を用いて、ポールのフランジの孔とアンカーボルトとを固定している本設ナットを緩め仮固定状態とし、外壁とフランジの孔との間に差込片及び仮設用ナットとを側方から差し込んで、ベースを仮設用ナット
で締結した後、ポールをパイプの吊り具で吊りながら本設ナットを取外してポールのフランジの孔をアンカーボルトから取外して外壁からポールを取り外す。その後、差込片及び仮設用ナットをアンカーボルトの側方から引き抜いてベース、つまり揚重装置を取外す。
このため、ポールの取付、取り外しが容易であり、少ない人数、例えば２人の作業員で行うことができる、このため、低コストである。
そして、本設のアンカーボルトのあるポール設置位置に揚重装置を設置できるので、ポール設置位置よりも高所に足場を組む必要もなく、また、ポールをその重心に留意しながら略垂直に吊りながら仮設置まで持っていけるので、揚重装置が水平方向に離れている場合の作業員による介錯も不要となり、ポールを１点吊りで確実に吊り上げることができるので、安全である。さらに、別途、揚重装置固定用の仮設アンカーボルト等を外壁に設ける必要がないから、施工後の補修などが不要である。
【図面の簡単な説明】
【００２１】
【図１】図１は本発明の揚重装置の一実施形態を示す概略図である。
【図２】図２は本発明の揚重装置で取り付けられるべき、あるいは、取り外されるべき外灯ポールを示す正面図である。
【図３】図３は揚重装置の一部の概略分解図である。
【図４】図４ａはアンカーボルトの側方から抜き差しできる仮設用ナットの一実施形態を示す斜視図、図４ｂは図４ａの仮設用ナットをアンカーボルトに取り付ける様子を示す平面図、図４ｃは図４ｂの正面図である。
【図５】図５は揚重装置によりポールを取り付ける方法を示す概略図である。
【図６】図６は揚重装置によりポールを取り外す方法を示す概略図である。
【図７】図７は本発明の関連技術であり、差込片のないベース（ベースプレート）を水平にボルト締結する揚重装置を示す概略図である。
【図８】図８はナットの他の実施形態を示す概略斜視図である。
【発明を実施するための形態】
【００２２】
まず、図２を用いて、本発明の揚重装置１（図１参照）により、固定され、あるいは、取り外されるべき外灯ポール１０を示す。その外灯ポール１０は、円柱状で長さのあるポール１０ａと、その上端付近に設けられている照明１０ｂとからなる。前記ポール１０ａには、その下方の背面に左右に延びるフランジ１０ｃが上下の二か所に設けられている。そして、その外灯ポール１０が固定される外壁１１には、フランジ１０ｃに開設された孔に挿通して本設ナットで締結して固定するアンカーボルト１２が設けられている。そのアンカーボルト１２は、前記ポール１０ａの中心軸に直交して延びるフランジ１０ｃの孔に、すなわち前記ポール１０ａの外径側面から一定距離にあるフランジの孔に挿通する位置に配置されている。この実施形態では、前記ポール１０ａは、その下端付近において上下に間隔を空けて鉛直方向に所定の突設ピッチを有して設けられる上下のアンカーボルト１２にて二か所固定される。そして、左右のアンカーボルト１２、１２は、水平になるように設けられている。
【００２３】
図１に示すように、揚重装置１は、ポール１０ａ（図２参照）を外壁１１に設けたアンカーボルト１２を用いて外壁１１に固定し、および、前記ポール１０ａを前記アンカーボルトから１２取り外すのに用いる。その楊重装置１は、組み立て式である。前記揚重装置１は、前記アンカーボルト１２（図２参照）を利用して、アンカーボルトの側方から抜き差しできる仮設用ナット（以下、中間挿入式ナットという）２およびその中間挿入式ナット２との間に介在される押さえ部材８ともども中間挿入式ナット２により締結固定されるベース３を備えている。
そのベース３は、使用時水平に枠体を形成する枠状部３ａ（図３参照）と使用時スリットが鉛直に開口する差込片３ｂとを有し、その枠状部３ａの上にベースプレート４が設けられている。そして、そのベースプレートの上面にパイプ５が立設されている。
【００２４】
図３に示すように、前記ベース３は、従来公知のアングルを溶接などにより連結した、ほぼ正方形状の枠状部３ａを備えている。その枠状部３ａは、上面と側面とを有している。前記正方形を形成する一辺の側面には、板状の差込片３ｂが重なるように固定されている。その差込片３ｂは、枠状部３ａを超えて、延長されている。その差込片３ｂには、先端で開口し、枠状部３ａ側に延びた横スリット３ｃが形成されている。その横スリット３ｃは前記外壁１１に設けられた左右一対の二本のアンカーボルト１２、１２（下方の一対のアンカーボルト）が差し込まれる幅を有している（図１参照）。
【００２５】
前記ベースプレート４は、枠状部３ａの上面に取り付けられる板部４ａと、その板部４ａの中央付近に立設される取付管４ｂとを備えている。その取付管４ｂには、その上端縁から鉛直下方に向けて延びる二本の縦溝４ｃ、４ｃが対向するように形成されている。それら縦溝４ｃ、４ｃの下端からはそれぞれ周方向の反対向きに延びる横向きの横溝４ｄ、４ｄが形成されている。前記ベースプレート４はネジ４ｅで前記ベース３に締結されている。
【００２６】
前記パイプ５は、前記取付管４ｂの上方からその内面に前記取付管４ｂの外周面が沿うように被せられ、立設される。そのパイプ５の下端の開口の内部にはロック棒５ａが渡され、その内壁に固定されている。このパイプ５は、そのロック棒５ａを前記取付管の縦溝４ｃ、４ｃに通した上で、軸を中心にして回動される。これにより、前記ロック棒５ａは横溝４ｄ、４ｄに通され、上方に抜けない。このため、パイプ５は取付管４ｂから抜けないように、ロックされる。
一方、そのロックされたパイプ５は、ロックしたのと反対の方向に回動することにより、ロック解除され、上方に抜き取ることができる。
【００２７】
前記アーム６は、パイプ５の上端付近にかぶさるように、その内面をパイプ５の外面にほぼ当接させながら嵌め込む単管６ａと、その単管６ａの上端の開口を塞ぐように取り付けられるアングル６ｂとを備えている。前記単管６ａの外周面には固定用ボルト６ｃがねじ込まれている。その固定用ボルト６ｃをねじ込むことにより、その先端は単管６ａの内面から突出し、パイプ５にアーム６を固定することができる。
また、その固定用ボルト６ｃを緩めることで、アーム６をパイプ５の外周周りに回動させ、その向きを変更することができる。向きを変更した後に、再び固定用ボルト６ｂを締め付けて、パイプ５に固定できる。
【００２８】
ここで、前記アングル６ｂの先端付近には、チェーンブロック７を吊るための孔６ｄが形成されている。この孔６ｄにアイボルトなどを取り付け、チェーンブロックなどの吊り部材を架けるようにしてもよい。
【００２９】
前記パイプ５は、前記ベースプレート４およびアーム６に対しそれぞれ脱着自在である。このため、吊り上げる外灯ポール１０の重心および長さに応じて、前記パイプ５の長さが選択される。その際に、パイプ５を切断して、長さを調整してもよい。
【００３０】
図１に戻って、前記チェーンブロック７は、従来公知の物であり、前記アーム６に架けられる架け部７ａを備えている。電源がとれる場合は、モータ駆動のホイストを用いてもよい。
【００３１】
前記差込片３ｂは、アンカーボルト１２を横スリット３ｃに差し込んだ上で、その上から押さえ部材８で押さえ付ける。その押さえ部材８は、板状の部材であり、前記差込片３ｂの上に重ねられる。その押さえ部材８は、２本のアンカーボルト１２、１２の上方から通される二本の縦スリット８ａ、８ａを有している。そして、その縦スリット８ａ、８ａ
に通されるアンカーボルト１２、１２に、前記中間挿入式ナット２が締め付けられる。
【００３２】
図４ａに示すように、前記中間挿入式ナット２は、アンカーボルトの中間部へその側方から直接、挿入して取り付けることのできる、従来公知のものである。その中間挿入式ナット２は、上下に重ねられた二つのナット部材２ａ、２ａからなる。それらの上下のナット部材２ａ、２ａは、中央のメネジ周りに回動自在に連結されている。それらナット部材２ａ、２ａの側方には、切欠き２ｂ、２ｂが形成されており、その切欠き２ｂ、２ｂからアンカーボルトが挿入される。
【００３３】
図４ｂおよび図４ｃには、その中間挿入式ナット２をボルト１２に挿入し、締め付ける様子を示す。まず、上下のナット部材２ａ、２ａの切欠き２ｂ、２ｂを合わせて、アンカーボルト１２に挿入する（Ｔ１）。次いで、どちらかのナット部材２ａ（図では上方のナット部材２ａ）を指で１２０°回す（Ｔ２）。そして、二枚のナット部材２ａ、２ａをスパナ（図示せず）で通常のナットと同じように一緒に回して締め付ける（Ｔ３）。最後に、二枚のナットの切欠き２ｂ、２ｂが、互いに反対に向くように、一方のナット部材２ａを回す（Ｔ４）。
また、この中間挿入式ナット２を取り外すには、スパナで二枚のナット部材２ａ、２ａを緩め、その後に切欠き２ｂ、２ｂの位置を合わせて、アンカーボルトから抜き取って行う。
【００３４】
次に、図５を用いて、前記揚重装置１（図１参照）を用いて、外灯ポール１０を外壁１１に取り付ける方法を説明する。
まず準備工程（Ｓ１）として、前記揚重装置１のうち、ベース３、ベースプレート４、パイプ５およびアーム６を、予め組み付けて冶具１ａとする（図１参照）。この冶具１ａが下記の工程を経て、前記アンカーボルト１２に、自身の差込片３ｂ押さえ部材８および中間挿入ナット２を差し込んだ上で中間挿入ナット２を締結することで、外壁１１に固定されていく。
最初に、ポールを取り付けるべき外壁１１の壁面に、ポールのフランジの孔位置を投影した、アンカーボルトを設けるための位置を決めるため、墨だしを行う（Ｓ２）。
次いで、前記墨だしした位置に、例えばドリルで開口し、ケミカルアンカーを打ち込んで一部が突出するようにアンカーボルトを打設する。図５では４本のアンカーボルト１２を、水平方向にはポールのフランジの延長方向の孔ピッチ、鉛直方向には、鉛直方向のアンカーボルト突設ピッチになるよう打設する（Ｓ３）。
そして、このアンカーボルト１２のうち下に位置する水平に並んだ２本を、図１に示すように組みあがった冶具１ａの差込片３ｂの横スリット３ｃ内に差し込むようにして冶具１ａを引っ掛ける（Ｓ４）。このとき、チェーンブロック７（図１参照）はアーム６にまだ取り付けない。そのような重量物は、前記ベースをアンカーボルト１２に固定した後に取り付ける。
次いで、押さえ部材８を差込片３ｂの上（壁面から離れた垂直面）に重なるように配置する。その際に、押さえ部材８を、アンカーボルト１２の上方から、横スリット３ｃの差込方向と直交するように、その縦スリット８ａ、８ａにアンカーボルト１２、１２を通す（Ｓ５）。
そして、中間挿入式ナット２をアンカーボルト１２に螺合し、差込片３ｂを押さえ部材８とともにアンカーボルト１２に沿って締め付ける（Ｓ６）。これにより、冶具１ａがアンカーボルト１２に固定される。なお、前記中間挿入式ナット２をアンカーボルト１２の先端から螺合させても良い。
次いで、アーム６にチェーンブロック７を取り付け、外灯ポール１０を、チェーンブロック７のフックで重心よりわずかに上方を吊り上げる（Ｓ７）。
そして、前記ポール１０ａのフランジ１０ｃの取付孔（図示せず）をアンカーボルト１２に位置合わせし、吊り上げたままフランジ１０ｃの取付孔にアンカーボルト１２を挿通
させて、その後本設ナット（図示せず）をアンカーボルト１２に挿通してゆるく締結し、外灯ポール１０のフランジ１０ｃを仮固定する（Ｓ８）。
その後に、前記中間挿入式ナット２をアンカーボルト１２から、図４のように切欠き２ｂをそろえて切欠きを出現させてボルト１２の側方に引き抜く。そして差込片３ｂおよび押さえ部材８をアンカーボルト１２の側方へ引き抜き、冶具１ａを取り外す（Ｓ９）。このとき、先にチェーンブロック７、アーム６およびパイプ５を取り外しておくと作業が楽である。
最後に、前記本設ナットを本締めして、外灯ポール１０のフランジ１０ｃを締結してポールの取り付けが完了する（Ｓ１０）。
【００３５】
次に、図６を用いて、前記揚重装置１を用いて、外灯ポール１０を外壁１１から取り外す方法を説明する。
まず、前記本設ナット（図示せず）を緩めて前記ポールを仮固定の状態にして、壁面とポールのフランジ１０ｃとの間に隙間を生じさせる（Ｒ１）。
次いで、前記外灯ポール１０（図の仮想線参照）のフランジ１０ｃと外壁１１との隙間に、前記治具１ａの差込片３ｂの横スリット３ｃを差し込む（Ｒ２）。
次いで、差込片３ｂの上に重ねるように、アンカーボルト１２の上方から、横スリット３ｃの差込方向と直交するように、押さえ部材８の縦スリット８ａ、８ａにアンカーボルト１２、１２を通す（Ｒ３）。
そして、中間挿入式ナット２をアンカーボルト１２に螺合し、差込片３ｂを締め付ける（Ｒ４）。これにより、治具１ａがアンカーボルト１２を介して外壁１１に固定される。
次いで、アーム６にチェーンブロック７を取り付け、外灯ポール１０を吊り、固定用ナット（図示せず）を取り外す（Ｒ５）。
そして、前記フランジ１０ｃをアンカーボルト１２から抜く（Ｒ６）。
その後に、前記ベース３、押さえ部材８および中間挿入式ナット２を取り外す（Ｒ７）。
【００３６】
本実施形態においては、揚重装置１は組み立て式であり、ベース３、ベースプレート４、パイプ５およびアーム６は分割して容易に運搬するようにされている。なお、これら部品を溶接などで一体にしてもよい。
【００３７】
本発明の揚重装置は、前記外灯ポールの他、避雷針、電柱など、高く延びる柱部材に用いると、簡易な構造で、かつ、安全に作業を進めることができる。
【００３８】
また、前記アンカーボルト１２は、コンクリートに埋込んだり、打設したり、化学反応を利用した接着剤によって固定する従来公知のものである。
【００３９】
さらに、前記外壁１１は、塀、建屋の壁などでもよい。さらに、壁が両側から接近しているような場所でも、本発明の揚重装置は、取り付けるべき、あるいは、取り外すべきポールとほぼ同じ位置に立設できるから、作業が容易である。例えば、小型のクレーン車が入り込めないような狭い場所でも作業できる。
【００４０】
また、図７に示すように、外灯ポール１０が地中埋め込み型である場合には、ベース３には差込片３ｂがなく、ベースプレート４のみがあり、ベースプレート４をポールの基礎１３に上方に突設したアンカーボルト１３ａに仮止めし、ポールを吊り上げて地中の開口に外灯ポール１０の下部を挿入し、固定することも考えられる。ただ、本設用のアンカーボルト１３ａに仮固定したベースプレートは、特に側方に抜けることもなく、本願の揚重装置とは少し異なる。
【００４１】
図８にその他の中間挿入式ナット９を示す。その中間挿入式ナット９は、コ字状の壁を
有する挿入部材９ａを有している。そのコ字状の開口９ｂから前記アンカーボルト１２が差し込まれる。その差し込まれたアンカーボルト１２は、挿入部材９ａのコ字の一方の壁から差し込まれる内面にアンカーボルト１２のオネジと係合する複数の突条９ｃが形成された金属製の二枚の板材からなる止め部材９ｄにより係合される。
【符号の説明】
【００４２】
１  揚重装置
１ａ  治具
２  仮設用ナット（中間挿入式ナット）
２ａ  ナット部材
２ｂ  切欠き
３  ベース
３ａ  枠状部
３ｂ  差込片
３ｃ  横スリット
４  ベースプレート
４ａ  板部
４ｂ  取付管
４ｃ  縦溝
４ｄ  横溝
４ｅ  ネジ
５  パイプ
５ａ  ロック棒
６  アーム
６ａ  単管
６ｂ  Ｌ型アングル
６ｃ  固定用ボルト
６ｄ  孔
７  チェーンブロック
７ａ  フック
８  押さえ部材
８ａ  縦スリット
９  中間挿入式ナット
９ａ  挿入部材
９ｂ  開口
９ｃ  突条
９ｄ  止め部材
１０  外灯ポール
１０ａ  ポール
１０ｂ  照明
１０ｃ  フランジ
１１  外壁
１２  アンカーボルト
１３  基礎
１３ａ  アンカーボルト
【図１】
2015175149.tif 000003
【図２】
2015175149.tif 000004
【図３】
2015175149.tif 000005
【図４】
2015175149.tif 000006
【図５】
2015175149.tif 000007
【図６】
2015175149.tif 000008
【図７】
2015175149.tif 000009
【図８】
2015175149.tif 000010